(57)【要約】【課題】湿度、塩素濃度等が高い状態の環境での使用に際しても、電気回路部が的確に保護されるようにし、かつ、マグネット、スプリング、押動手段などの可動構成部材の組付性を良好とすること。【解決手段】検知スイッチ１０が、開口１１ａ１を一側に有するスイッチケース１１Ａ内にリード線１２Ａ，１２Ｂに接続された状態で収容され同スイッチケース１１Ａ内に開口１１ａ１を通して充填固化された絶縁樹脂１９にてシールド固定されたリードスイッチ１４、スイッチケース１１Ａの他側に移動可能に組付けられてリードスイッチ１４に対して近接・退避可能なマグネット、スイッチケース１１Ａの他側に配設されて前記マグネットを退避位置に向けて付勢するスプリング、このスプリングの付勢力に抗して前記マグネットを近接位置に押動可能なスイッチレバー１７，押ボタン１８を備える構成とした。【選択図】  図３
2004273313.tif 000002
【特許請求の範囲】
【請求項１】
開口を一側に有するスイッチケース内にリード線に接続された状態で収容され同スイッチケース内に前記開口を通して充填固化された絶縁樹脂にて前記スイッチケースにシールド固定されたリードスイッチ、前記スイッチケースの他側に移動可能に組付けられて前記リードスイッチに対して近接・退避可能なマグネット、前記スイッチケースの他側に配設されて前記マグネットを退避位置に向けて付勢するスプリング、このスプリングの付勢力に抗して前記マグネットを近接位置に押動可能な押動手段を備えた検知スイッチ。
【請求項２】
請求項１に記載の検知スイッチにおいて、前記押動手段が、前記スイッチケースの他側にて前記スイッチケースとこれに脱着可能に組付けられるケースカバーにより基端部を傾動可能に支持されて前記スイッチケースから突出する先端部位に検出部を有するスイッチレバーと、このスイッチレバーの中間部と前記マグネット間に配設されて前記スイッチケースと前記ケースカバーにより支持され前記スイッチレバーの動きを前記マグネットに伝える押ボタンによって構成され、前記マグネットと前記スプリングが前記スイッチケースと前記ケースカバーによって形成される収容空間に収容されていることを特徴とする検知スイッチ。
【発明の詳細な説明】
【０００１】
【発明の属する技術分野】
本発明は、例えば、製氷機またはアイスディスペンサの貯氷室に設置されて内部に貯留される氷塊の有無を検知する、または製氷機の可動部に近接して設置されて可動部の動作を検知する検知スイッチに関する。
【０００２】
【従来の技術】
この種の検知スイッチは、例えば、下記特許文献１に示されていて、一般的には、マイクロスイッチが採用されている。このマイクロスイッチでは、スイッチケース内に固定接点と可動接点が組付けられるとともに、スイッチレバーによって押動されて固定接点と可動接点を接離させる可動体がスイッチケースに組付けられている。また、可動体のスイッチケースから突出する部位がスイッチケースに組付けた防水ゴムキャップにて被覆されていて、スイッチケース内への水の浸入が防止されている。
【０００３】
【特許文献１】
特開２０００−１９３３５３号公報
【０００４】
【発明が解決しようとする課題】
上記したマイクロスイッチでは、防水ゴムキャップが防水機能を発揮する限り、スイッチケース内への水の浸入が防止される。しかし、マイクロスイッチが設置される製氷機またはアイスディスペンサ内では、湿度が高く、また製氷過程において、水道水の純水が凍ってゆくことにより、水道水の残留塩素が濃縮されるため、一般的な環境に比して、塩素濃度が高い状態にある。このため、水蒸気が防水ゴムキャップを透過したり、塩素によって防水ゴムキャップが劣化して、防水効果を損なうことにより、当該マイクロスイッチでの絶縁劣化が生じて、当該マイクロスイッチが誤検知するおそれがある。また、上記したマイクロスイッチでは、その組付性や保守・点検性についての配慮が十分になされていない。
【０００５】
【発明の概要】
本発明は、上記した課題を解決するためになされたものであり、当該検知スイッチが、開口を一側に有するスイッチケース内にリード線に接続された状態で収容され同スイッチケース内に前記開口を通して充填固化された絶縁樹脂にて前記スイッチケースにシールド固定されたリードスイッチ、前記スイッチケースの他側に移動可能に組付けられて前記リードスイッチに対して近接・退避可能なマグネット、前記スイッチケースの他側に配設されて前記マグネットを退避位置に向けて付勢するスプリング、このスプリングの付勢力に抗して前記マグネットを近接位置に押動可能な押動手段を備える構成とした。
【０００６】
かかる構成の検知スイッチでは、スイッチケースに収容されるリードスイッチを含む電気回路部を絶縁樹脂にてシールドしたため、例えば、製氷機またはアイスディスペンサの貯氷室等の湿度、塩素濃度等が高い状態の環境での使用に際しても、電気回路部が的確に保護される。また、スイッチケースの一側にリードスイッチを含む電気回路部を配設し、スイッチケースの他側にマグネット、スプリング、押動手段などの可動構成部材を配設したため、マグネット、スプリング、押動手段などの可動構成部材の組付性を良好とすることが可能である。
【０００７】
また、本発明の実施に際しては、前記押動手段が、前記スイッチケースの他側にて前記スイッチケースとこれに脱着可能に組付けられるケースカバーにより基端部を傾動可能に支持されて前記スイッチケースから突出する先端部位に検出部を有するスイッチレバーと、このスイッチレバーの中間部と前記マグネット間に配設されて前記スイッチケースと前記ケースカバーにより支持され前記スイッチレバーの動きを前記マグネットに伝える押ボタンによって構成され、前記マグネットと前記スプリングが前記スイッチケースと前記ケースカバーによって形成される収容空間に収容されていることも可能である。
【０００８】
この場合には、スイッチケースの他側からケースカバーを取り外すことにより、スイッチレバー、押ボタン、マグネット、スプリング等の可動構成部材の全てを容易に保守・点検することが可能である。また、当該検知スイッチの外観形状を従来のマイクロスイッチの外観形状と略同じとして、当該検知スイッチを従来のマイクロスイッチと互換性のある構成とすることが可能である。
【０００９】
【発明の実施の形態】
以下に、本発明の一実施形態を図面に基づいて説明する。図１および図２は本発明による検知スイッチ１０を貯氷検知装置３０，３０の貯氷検知用スイッチとしてアイスディスペンサ２０に使用した実施形態を示している。各貯氷検知装置３０は、アイスディスペンサ２０の貯氷室２１に設けられていて、貯氷室２１の内壁に組付けられるベース部材３１と、このベース部材３１に固定した検知スイッチ１０と、ベース部材３１にピン３３を介して回動可能に組付けられて検知スイッチ１０のスイッチレバー１７を押動可能な状態にて検知スイッチ１０を覆うスイッチカバー３２を備えている。なお、アイスディスペンサ２０における貯氷室２１の下部には、モータ２２によって回転駆動されて氷塊を氷放出口２３に向けて送り出す氷塊送出スクリュー２４が回転可能に組付けられている。
【００１０】
検知スイッチ１０は、アイスディスペンサ２０の貯氷室２１に設置されて貯氷室２１の内部に貯留される氷塊の有無を検知するものであり、図３〜図７に示したように、樹脂製のスイッチケース１１Ａと、これに脱着可能に組付けた樹脂製のケースカバー１１Ｂを備えるとともに、一対のリード線１２Ａ，１２Ｂおよび接続端子１３Ａ，１３Ｂ、リードスイッチ１４、マグネット１５Ａとそのホルダ１５Ｂ、リターンスプリング１６、スイッチレバー１７および押ボタン１８等を備えている。
【００１１】
スイッチケース１１Ａは、一側に接続端子１３Ａ，１３Ｂとリードスイッチ１４を組付けるための開口１１ａ１を有するとともに、一端壁にリード線１２Ａ，１２Ｂを挿通するための取付孔１１ａ２，１１ａ３を有している。また、スイッチケース１１Ａは、他側にマグネット１５Ａとそのホルダ１５Ｂの支持孔部１１ａ４を有するとともに、スイッチレバー１７を支持するための凹部１１ａ５と、ケースカバー１１Ｂを支持するための凹部１１ａ６，１１ａ７と、ケースカバー１１Ｂを取り外す際にマイナスドライバーを差し込むための切欠１１ａ８を有している。
【００１２】
ケースカバー１１Ｂは、スイッチケース１１Ａの他側に脱着可能であり、スイッチケース１１Ａに組付けられた状態では、スイッチケース１１Ａとにより、マグネット１５Ａとそのホルダ１５Ｂ、リターンスプリング１６、スイッチレバー１７および押ボタン１８を支持するとともに、スイッチケース１１Ａとによって形成される収容空間Ｒにマグネット１５Ａとそのホルダ１５Ｂ、リターンスプリング１６等を収容する。
【００１３】
また、ケースカバー１１Ｂは、図５に示したように、スイッチケース１１Ａに組付けるための突起１１ｂ１，１１ｂ２と、マグネット１５Ａとそのホルダ１５Ｂを支持するための環状凹部１１ｂ３と、リターンスプリング１６を支持するための突起１１ｂ４および係止部１１ｂ５と、スイッチレバー１７を支持するための凹部１１ｂ６と、押ボタン１８を支持するための凹凸部１１ｂ７と、ケースカバー１１Ｂを取り外す際にマイナスドライバーを差し込むための切欠１１ｂ８を有している。
【００１４】
各リード線１２Ａ，１２Ｂは、被覆電線であり、スイッチケース１１Ａ内に挿通した端部にてスイッチケース１１Ａ内に組付けた各接続端子１３Ａ，１３Ｂに通電可能に連結されていて、各接続端子１３Ａ，１３Ｂを介してリードスイッチ１４に接続されている。各接続端子１３Ａ，１３Ｂは、リードスイッチ１４の各端部に通電可能に連結されている。
【００１５】
リードスイッチ１４は、各接続端子１３Ａ，１３Ｂを介して各リード線１２Ａ，１２Ｂの端部に接続された状態にてスイッチケース１１Ａ内に収容されていて、スイッチケース１１Ａ内に開口１１ａ１を通して充填固化された絶縁樹脂１９にてスイッチケース１１Ａに各接続端子１３Ａ，１３Ｂおよび各リード線１２Ａ，１２Ｂの端部とともにシールド固定されて、絶縁樹脂１９内に気密および液密状態にて埋設されている。
【００１６】
マグネット１５Ａは、ホルダ１５Ｂに一体的に支持された状態にてスイッチケース１１Ａの他側にてスイッチケース１１Ａとケースカバー１１Ｂに回転自在に組付けられていて、リードスイッチ１４に対して近接・退避可能であり、リードスイッチ１４に近接することでリードスイッチ１４をＯＮ状態とし、リードスイッチ１４から退避することでリードスイッチ１４をＯＦＦ状態とする。
【００１７】
リターンスプリング１６は、コイル部１６ａにてケースカバー１１Ｂの突起１１ｂ４に組付けられていて、一端１６ｂにてホルダ１５Ｂに係合し、他端１６ｃにてケースカバー１１Ｂの係止部１１ｂ５に係合しており、マグネット１５Ａとそのホルダ１５Ｂを退避位置すなわち図４および図７の時計方向に向けて付勢している。
【００１８】
スイッチレバー１７は、基端部１７ａにてスイッチケース１１Ａの凹部１１ａ５とケースカバー１１Ｂの凹部１１ｂ６に傾動可能に組付けられていて、中間部１７ｂにて押ボタン１８の先端１８ａに係合している。また、スイッチレバー１７の先端部１７ｃには、検出部としてのローラ１７ｄが回転自在に組付けられている。
【００１９】
押ボタン１８は、スイッチレバー１７の中間部１７ｂによって押動されるものであり、スイッチレバー１７の中間部１７ｂとマグネット１５Ａの先端部間に配設されている。また、押ボタン１８は、スイッチケース１１Ａとケースカバー１１Ｂによって進退可能（図４の上下方向に移動可能）に支持されていて、スイッチケース１１Ａおよびケースカバー１１Ｂから突出する先端１８ａにてスイッチレバー１７の中間部１７ｂに係合している。
【００２０】
上記のように構成したこの実施形態の検知スイッチ１０では、スイッチケース１１Ａに収容されるリードスイッチ１４を含む電気回路部を絶縁樹脂１９にてシールド固定したため、アイスディスペンサ２０の貯氷室２１のように、湿度、塩素濃度等が高い状態の環境での使用に際しても、電気回路部が的確に保護される。また、スイッチケース１１Ａの一側にリードスイッチ１４を含む電気回路部を配設し、スイッチケース１１Ａの他側にマグネット１５Ａとそのホルダ１５Ｂ、リターンスプリング１６、スイッチレバー１７、押ボタン１８などの可動構成部材を配設したため、マグネット１５Ａとそのホルダ１５Ｂ、リターンスプリング１６、スイッチレバー１７、押ボタン１８などの可動構成部材の組付性を良好とすることが可能である。
【００２１】
また、この検知スイッチ１０においては、スイッチレバー１７と押ボタン１８によって、リターンスプリング１６の付勢力に抗してマグネット１５Ａとそのホルダ１５Ｂを押動可能に構成するとともに、マグネット１５Ａとそのホルダ１５Ｂ、リターンスプリング１６がスイッチケース１１Ａとケースカバー１１Ｂによって形成される収容空間Ｒに収容されるように構成した。
【００２２】
このため、スイッチケース１１Ａの他側からケースカバー１１Ｂを取り外すことにより、マグネット１５Ａとそのホルダ１５Ｂ、リターンスプリング１６、スイッチレバー１７、押ボタン１８等の可動構成部材の全てを容易に保守・点検することが可能である。また、当該検知スイッチ１０の外観形状を従来のマイクロスイッチの外観形状と略同じとして、当該検知スイッチ１０を従来のマイクロスイッチと互換性のある構成とすることが可能である。
【００２３】
上記実施形態においては、貯氷検知装置３０，３０の貯氷検知スイッチとして使用されて氷塊の有無を検知する検知スイッチ１０に本発明を実施したが、本発明は、例えば、特開２０００−１０５０３７に示されているように、製氷機の可動部に近接して設置されて可動部の動作を検知する検知スイッチにも同様に実施することが可能である。
【図面の簡単な説明】
【図１】本発明による検知スイッチを貯氷検知装置の貯氷検知スイッチとしてアイスディスペンサに使用した実施形態を示す部分破断側面図である。
【図２】図１に示した貯氷検知装置の縦断側面図である。
【図３】図２に示した検知スイッチのケースカバーを取付ける前の状態の一側から見た斜視図である。
【図４】図２に示した検知スイッチの他側から見た斜視図である。
【図５】図３および図４に示した検知スイッチの概略的な分解斜視図である。
【図６】図３に示した検知スイッチのリードスイッチを含む電気回路部が絶縁樹脂にてシールド固定されていない状態の斜視図である。
【図７】図４に示した検知スイッチからケースカバーを取り外した状態の斜視図である。
【符号の説明】
１０…検知スイッチ、１１Ａ…スイッチケース、１１ａ１…開口、１１Ｂ…ケースカバー、１２Ａ，１２Ｂ…リード線、１３Ａ，１３Ｂ…接続端子、１４…リードスイッチ、１５Ａ…マグネット、１５Ｂ…ホルダ、１６…リターンスプリング、１７…スイッチレバー、１８…押ボタン、１９…絶縁樹脂、Ｒ…収容空間。
【図１】
2004273313.tif 000003
【図２】
2004273313.tif 000004
【図３】
2004273313.tif 000005
【図４】
2004273313.tif 000006
【図５】
2004273313.tif 000007
【図６】
2004273313.tif 000008
【図７】
2004273313.tif 000009